【事件の表示】
　特願２０１４−　５６６７５号「遊技機」拒絶査定不服審判事件〔平成２７年１０月　８日出願公開、特開２０１５−１７７８９２号〕について、次のとおり審決する。
【結　論】
　本件審判の請求は、成り立たない。
【理　由】
第１　手続の経緯
　本願は、平成２６年３月１９日の出願であって、平成２７年８月１３日付け（発送日：平成２７年８月１８日）で拒絶査定がなされ、これに対し、平成２７年１１月１６日に拒絶査定不服審判が請求されるとともに手続補正がなされ、その後、当審において、平成２８年８月１日付けで拒絶理由通知がなされ、平成２８年９月３０日付けで意見書が提出されるとともに手続補正がなされ、平成２８年１０月２０日付けで最後の拒絶理由通知がなされ、これに対し、平成２８年１２月２０日付けで意見書が提出されるとともに手続補正がなされたものである。
第２　本願発明
　本願の請求項１に係る発明（以下、「本願発明」という。）は、平成２８年１２月２０日付け手続補正書により補正された特許請求の範囲の請求項１に記載された事項により特定される次のとおりのものであると認める。ただし、記号Ａ〜Ｇは分説するため当審にて付した。
「【請求項１】
Ａ　初期位置と、該初期位置と異なる動作位置との間を移動可能な基部と、前記基部に連結され、変位動作が可能であって、少なくとも一部の領域が発光可能に構成されており、かつ、主たる部分の形状が類似する複数の可動部と、を有する装飾部材と、
Ｂ　画像を表示する表示画面を有する表示装置と、を備え、
Ｃ　前記基部は、前記表示画面に沿って移動可能であり、
Ｄ　前記複数の可動部は、前記表示画面に沿って変位可能に構成されており、
Ｅ　前記複数の可動部のうち少なくとも２つは、
　　前記基部が前記初期位置のとき、前記基部によって外部からの視認が抑制される第１の位置となり、
Ｆ　前記基部が前記動作位置のとき、前記第１の位置と、該第１の位置よりも外部からの視認性の高い第２の位置と、に変位可能であり、
Ｇ　該第２の位置において、前記少なくとも一部の領域が、所定の基準に関して位置関係が対称となり、発光可能に構成されている
　ことを特徴とする遊技機。」
第３　拒絶理由通知の概要
　平成２８年１０月２０日付け拒絶理由通知は、本願発明は、刊行物１である特開２０１２−２４２３４号公報に示された引用発明、及び、刊行物２である特開２０１２−２０５８９６号公報に示された刊行物２に記載の技術事項に基づき、当業者が容易にすることができたものであって、特許法第２９条第２項の規定により特許を受けることができないというものである。
第４　当審の判断
１　本願発明
　本願発明は、上記第２に記載したとおりのものである。
２　刊行物
（１）刊行物１
　本願の出願日前に頒布され、平成２８年１０月２０日付け拒絶理由通知で引用された刊行物である特開２０１２−２４２３４号公報（以下、「刊行物１」という。）には、図面とともに次の事項が記載されている（下線は、当審にて付した。以下、同じ。）。
ア　「【０００１】 
　本発明は、複数の従動部材を１つの駆動手段で駆動して遊技の演出を行う
遊技機
  
 イ　「【０００５】 
　本発明は、上記事情に鑑みてなされたもので、
従来より可動部分の動作による演出の趣向性が高い遊技機を提供することを目的とする。
  
 ウ　「【００４７】 
　遊技領域Ｒ１のほぼ中央には本発明に係る「表示器」に相当する
メイン表示器３５が備えられている。
その表示画面３６
  
 エ　「【００６６】 
　表示機構枠５０のうち演出表示窓５３の上辺部と表示機構枠５０の上端部に位置した側壁５２との間には、上辺回動役物５６が収容されている。
上辺回動役物５６は、
装飾レバー５６Ａを有し、
装飾レバー５６Ａは、
回動中心から水平横方向に延びた水平姿勢になって表示装飾枠４１の上辺部後方に退避して隠れ、所定の契機によって下方に回転駆動されて
傾斜姿勢になる。
装飾レバー５６Ａの長手方向の中間部には、１対の分岐回動レバー５６Ｂ，５６Ｂが回動可能に取り付けられている。分岐回動レバー５６Ｂ，５６Ｂは、
装飾レバー５６Ａが水平姿勢になっているときには、
装飾レバー５６Ａと前後方向で重なった状態になっている。
装飾レバー５６Ａが傾斜姿勢になると、分岐回動レバー５６Ｂ，５６Ｂがレバーガイド部材から離間して、
開脚する。
  
オ　図１には、１対の分岐回動レバー５６Ｂ、５６Ｂは、
形状が類似し
カ　図１には、
装飾レバー５６Ａが傾斜姿勢のときに、１対の分岐回動レバー５６Ｂ、５６Ｂが、装飾レバー５６Ａにより隠されず
装飾レバー５６Ａの中心線を基準として対称に位置する
  
キ　図２には、装飾レバー５６Ａが水平姿勢のときに、分岐回動レバー５６Ｂ、５６Ｂの
一部が装飾レバー５６Ａにより隠されている
  
ク　図１及び図２より、
装飾レバー５６Ａと１対の分岐回動レバー５６Ｂ、５６Ｂは、表示画面３６に沿って移動可能
  
　上記ア〜エの記載事項、及び、上記オ〜クの認定事項より、刊行物１には、以下の発明（以下、「引用発明」という。）が記載されているといえる。ただし、記号ａ〜ｇは、本願発明の記号Ａ〜Ｇに対応させて当審にて付した。 
  
「ａ　回動中心から水平横方向に延びた水平姿勢になって表示装飾枠４１の上辺部後方に退避して隠れ、所定の契機によって下方に回転駆動されて傾斜姿勢になる装飾レバー５６Ａと、装飾レバー５６Ａの長手方向の中間部に、回動可能に取り付けられ、形状が類似する１対の分岐回動レバー５６Ｂ、５６Ｂと、を有する上辺回動役物５６と、（エ、オ）
ｂ　表示画面３６を有するメイン表示器３５と、を備え、（ウ）
ｃ　装飾レバー５６Ａは、表示画面３６に沿って移動可能であり、（ク）
ｄ　１対の分岐回動レバー５６Ｂ、５６Ｂは、表示画面３６に沿って移動可能であり、（ク）
ｅ　装飾レバー５６Ａが水平姿勢になっているときには、１対の分岐回動レバー５６Ｂ、５６Ｂが装飾レバー５６Ａと前後方向で重なった状態となり、一部が装飾レバー５６Ａにより隠され、（エ、キ）
ｆ　装飾レバー５６Ａが傾斜姿勢になると、１対の分岐回動レバー５６Ｂ、５６Ｂがレバーガイド部材から離間して、開脚し、装飾レバー５６Ａにより隠されず、（エ、カ）
ｇ　装飾レバー５６Ａが傾斜姿勢のときに、１対の分岐回動レバー５６Ｂ、５６Ｂが、装飾レバー５６Ａの中心線を基準として対称に位置する（カ）
　遊技機。（ア）」
  
（２）刊行物２
　本願の出願日前に頒布され、平成２８年１０月２０日付け拒絶理由通知で引用された刊行物である特開２０１２−２０５８９６号公報（以下、「刊行物２」という。）には、図面とともに次の事項が記載されている。 
  
ア　「【０００１】
　本発明は、遊技機本体に対して可動に構成された可動役物を備える
遊技機
イ　「【０００７】 
　それ故に、
本発明の目的は、
可動役物の設計上の自由度を向上させることができる遊技機を提供することである。
  
ウ　「【００９７】 
　図１５は、本変形例における、
拳役物７Ａ側および拳役物７Ｂ側
動作が開始すると、
動作前の状態（拳役物７Ａ，７Ｂ及び拳カバー８０Ａ，８０Ｂが格納された状態）から、
拳カバー８０Ａが加えられた拳役物７Ａおよび拳カバー８０Ｂが加えられた拳役物７Ｂがそれぞれ姿勢を変化させて回転移動することによって、装飾枠６の内側（液晶表示器５の表示画面の前面）に出現する。その後、
拳カバー８０Ａから拳役物７Ａがスライドして飛び出し、同様に、拳カバー８０Ｂから拳役物７Ｂがスライドして飛び出す。
その際に、拳役物７Ａ側および拳役物７Ｂ側において、導光部材７１の一端部７２と発光部（カラーＬＥＤ１５８）とが対向位置となり、導光部材７１の他端部７３が発光する。
以上の動作を逆順序で行うことによって、
動作前の状態に戻る。
  
エ　図１４及び図１５より、
拳役物７Ａと拳役物７Ｂの他端部７３は液晶表示器５の縦方向の中心線に関して位置関係が対称である
  
 　上記ア〜ウの記載事項、及び、上記エの認定事項より、刊行物２には、以下の技術事項が記載されているといえる。 
  
「拳役物７Ａ側および拳役物７Ｂ側は、動作が開始すると、動作前の状態（拳役物７Ａ，７Ｂ及び拳カバー８０Ａ，８０Ｂが格納された状態）から、拳カバー８０Ａが加えられた拳役物７Ａおよび拳カバー８０Ｂが加えられた拳役物７Ｂがそれぞれ姿勢を変化させて回転移動することによって、装飾枠６の内側（液晶表示器５の表示画面の前面）に出現し、その後、拳カバー８０Ａから拳役物７Ａがスライドして飛び出し、同様に、拳カバー８０Ｂから拳役物７Ｂがスライドして飛び出し、以上の動作を逆順序で行うことによって、動作前の状態に戻り、（ウ）
　拳カバー８０Ａから拳役物７Ａがスライドして飛び出し、同様に、拳カバー８０Ｂから拳役物７Ｂがスライドして飛び出した際に、拳役物７Ａ側および拳役物７Ｂ側において、導光部材７１の一端部７２と発光部（カラーＬＥＤ１５８）とが対向位置となり、導光部材７１の他端部７３が発光し、拳役物７Ａと拳役物７Ｂの他端部７３は液晶表示器５の縦方向の中心線に関して位置関係が対称である（ウ、エ）
　遊技機。（ア）」
３　対比
　本願発明と引用発明とを分説に従い対比する。
（ａ）引用発明の「回動中心から水平横方向に延びた水平姿勢」、「下方に回転駆動され」た「傾斜姿勢」、「装飾レバー５６Ａ」は、本願発明の「初期位置」、「該初期位置と異なる動作位置」、「基部」にそれぞれ相当する。
　また、引用発明の「装飾レバー５６Ａの長手方向の中間部に、回動可能に取り付けられ」、「上辺回動役物５６」は、本願発明の「前記基部に連結され、変位動作が可能であって」、「装飾部材」にそれぞれ相当する。
　さらに、引用発明の「形状が類似する」は、全体の形状が類似しているので、本願発明の「主たる部分の形状が類似する」に相当するといえ、引用発明の「１対の分岐回動レバー５６Ｂ、５６Ｂ」は、１対は複数であるので、本願発明の「複数の可動部」に相当するといえる。
　したがって、引用発明の「回動中心から水平横方向に延びた水平姿勢になって表示装飾枠４１の上辺部後方に退避して隠れ、所定の契機によって下方に回転駆動されて傾斜姿勢になる装飾レバー５６Ａと、装飾レバー５６Ａの長手方向の中間部に、回動可能に取り付けられ、形状が類似する１対の分岐回動レバー５６Ｂ、５６Ｂと、を有する上辺回動役物５６」と、本願発明の「初期位置と、該初期位置と異なる動作位置との間を移動可能な基部と、前記基部に連結され、変位動作が可能であって、少なくとも一部の領域が発光可能に構成されており、かつ、主たる部分の形状が類似する複数の可動部と、を有する装飾部材」とは、「初期位置と、該初期位置と異なる動作位置との間を移動可能な基部と、前記基部に連結され、変位動作が可能であって、主たる部分の形状が類似する複数の可動部と、を有する装飾部材」の点で共通する。
（ｂ）引用発明の「表示画面３６」、「メイン表示器３５」は、本願発明の「画像を表示する表示画面」、「表示装置」にそれぞれ相当する。
　したがって、引用発明の「表示画面３６を有するメイン表示器３５と、を備え」は、本願発明の「画像を表示する表示画面を有する表示装置と、を備え」に相当する。
（ｃ）引用発明の「装飾レバー５６Ａ」、「表示画面３６」は、本願発明の「前記基部」、「前記表示画面」にそれぞれ相当する。
　したがって、引用発明の「装飾レバー５６Ａは、表示画面３６に沿って移動可能であり」は、本願発明の「前記基部は、前記表示画面に沿って移動可能であり」に相当する。
（ｄ）引用発明の「１対の分岐回動レバー５６Ｂ、５６Ｂ」、「表示画面３６」は、本願発明の「前記複数の可動部」、「前記表示画面」にそれぞれ相当する。
　したがって、引用発明の「１対の分岐回動レバー５６Ｂ、５６Ｂは、表示画面３６に沿って移動可能であり」は、本願発明の「前記複数の可動部は、前記表示画面に沿って変位可能に構成されており」に相当する。
（ｅ）引用発明の「１対の分岐回動レバー５６Ｂ、５６Ｂ」、「装飾レバー５６Ａが水平姿勢になっているとき」、「装飾レバー５６Ａと前後方向で重なった状態となり、一部が装飾レバー５６Ａにより隠され」は、本願発明の「前記複数の可動部のうち少なくとも２つ」、「前記基部が前記初期位置のとき」、「前記基部によって外部からの視認が抑制される」にそれぞれ相当する。
　そうすると、引用発明において、装飾レバー５６Ａと前後方向で重なった状態となり、一部が装飾レバー５６Ａにより隠される時の分岐回動レバー５６Ｂ、５６Ｂの「位置」は、本願発明の「第１の位置」に相当する。
　したがって、引用発明の「装飾レバー５６Ａが水平姿勢になっているときには、１対の分岐回動レバー５６Ｂ、５６Ｂが装飾レバー５６Ａと前後方向で重なった状態となり、分岐回動レバー５６Ｂ、５６Ｂの一部が装飾レバー５６Ａにより隠され」は、本願発明の「前記複数の可動部のうち少なくとも２つは、前記基部が前記初期位置のとき、前記基部によって外部からの視認が抑制される第１の位置となり」に相当する。
（ｆ）引用発明の「装飾レバー５６Ａが傾斜姿勢になると」は、本願発明の「前記基部が前記動作位置のとき」に相当する。
　また、引用発明の「レバーガイド部材から離間して、開脚し、装飾レバー５６Ａにより隠され」ない時、１対の分岐回動レバー５６Ｂ、５６Ｂは、その一部が装飾レバー５６Ａにより隠される「第１の位置」（上記（ｅ）参照）にある時よりも外部からの視認性が高いことは明らかであるから、この時、１対の分岐回動レバー５６Ｂ、５６Ｂは、本願発明の「該第１の位置よりも外部からの視認性の高い第２の位置」にあるといえる。
　したがって、引用発明の「装飾レバー５６Ａが傾斜姿勢になると、１対の分岐回動レバー５６Ｂ、５６Ｂがレバーガイド部材から離間して、開脚し、装飾レバー５６Ａにより隠されず」と、本願発明の「前記基部が前記動作位置のとき、前記第１の位置と、該第１の位置よりも外部からの視認性の高い第２の位置と、に変位可能であり」とは、「前記基部が前記動作位置のとき、第１の位置よりも外部からの視認性の高い第２の位置に変位可能であ」る点で共通する。
（ｇ）上記（ｆ）より、引用発明の１対の分岐回動レバー５６Ｂ、５６Ｂは、「装飾レバー５６Ａが傾斜姿勢のとき」、本願発明の「第２の位置」にあるといえる。
　また、引用発明の「１対の分岐回動レバー５６Ｂ、５６Ｂが、装飾レバー５６Ａの中心線を基準として対称に位置する」は、１対の分岐回動レバー５６Ｂ、５６Ｂが、全体として、所定の基準に対して位置関係が対称となっており、その少なくとも一部の領域についても、位置関係が対称となっていることは明らかなので、本願発明の「前記少なくとも一部の領域が、所定の基準に関して位置関係が対称となり」に相当する。
　したがって、引用発明の「装飾レバー５６Ａが傾斜姿勢のときに、１対の分岐回動レバー５６Ｂ、５６Ｂが、装飾レバー５６Ａの中心線を基準として対称に位置する」と、本願発明の「該第２の位置において、前記少なくとも一部の領域が、所定の基準に関して位置関係が対称となり、発光可能に構成されている」とは、「該第２の位置において、前記少なくとも一部の領域が、所定の基準に関して位置関係が対称とな」る点で共通する。
　上記（ａ）〜（ｇ）の対比より、本願発明と引用発明とは、次の点で一致している。
「Ａ’初期位置と、該初期位置と異なる動作位置との間を移動可能な基部と、前記基部に連結され、変位動作が可能であって、主たる部分の形状が類似する複数の可動部と、を有する装飾部材と、
Ｂ　画像を表示する表示画面を有する表示装置と、を備え、
Ｃ　前記基部は、前記表示画面に沿って移動可能であり、
Ｄ　前記複数の可動部は、前記表示画面に沿って変位可能に構成されており、
Ｅ　前記複数の可動部のうち少なくとも２つは、
　　前記基部が前記初期位置のとき、前記基部によって外部からの視認が抑制される第１の位置となり、
Ｆ’前記基部が前記動作位置のとき、第１の位置よりも外部からの視認性の高い第２の位置に変位可能であり、
Ｇ’該第２の位置において、前記少なくとも一部の領域が、所定の基準に関して位置関係が対称となる
　遊技機。」
　そして、本願発明と引用発明とは、構成Ｆ’に関する相違点１、及び、構成Ａ’及びＧ’に関する相違点２で相違している。
（相違点１） 
　基部が動作位置のとき、本願発明は、可動部が第１の位置に変位可能であるのに対し、引用発明は、可動部が第１の位置に変位可能である否か不明である点。
（相違点２）
　可動部が第２の位置にある時に、所定の基準に関して位置関係が対称となる少なくとも一部の領域に関して、本願発明は、当該少なくとも一部の領域が発光可能であるのに対し、引用発明は、当該少なくとも一部の領域が発光可能であるか否か不明である点。
４　判断
　上記相違点１について検討する。 
　上記２（２）より、刊行物２には、拳カバー８０Ａが加えられた拳役物７Ａが、姿勢を変化させて回転移動することによって、装飾枠６の内側に出現し、その後、拳カバー８０Ａから拳役物７Ａがスライドして飛び出し、以上の動作を逆順序で行うことによって、動作前の状態に戻ることが記載されているものと認められる。 
　すなわち、刊行物２には、基部（拳カバー８０Ａ）が動作位置（装飾枠６の内側に出現した位置）のときに、可動部（拳役物７Ａ）が第１の位置にあり、その後、第２の位置（スライドして飛び出した位置）に移動し、以上の動作を逆順序で行うことによって、動作前の状態に戻るという技術事項が記載されているといえる。 
　そして、引用発明と刊行物２とは、共に、遊技機において、演出用の可動部の動作を改良するという共通の課題を有するものであるから（上記２（１）のイ、及び、２（２）のイを参照）、引用発明の可動部の動作として、上記刊行物２に記載の技術事項を適用し、基部が動作位置のとき、可動部が第１の位置に変位可能として、上記相違点１に係る本願発明の構成とすることは、当業者であれば容易に想到し得たことである。 
　上記相違点２について検討する。 
　上記２（２）より、刊行物２には、拳カバー８０Ａと拳カバー８０Ｂから拳役物７Ａと拳役物７Ｂがそれぞれスライドして飛び出し、その際に、拳役物７Ａと拳役物７Ｂの他端部７３が発光し、拳役物７Ａと拳役物７Ｂの他端部７３は液晶表示器５の縦方向の中心線に関して位置関係が対称であることが記載されていると認められる。 
　すなわち、刊行物２には、１対の可動部（拳役物７Ａと拳役物７Ｂ）が、第２の位置（スライドして飛び出した位置）にある時、当該可動部の少なくとも一部の領域（他端部７３）が液晶表示器５の縦方向の中心線に関して位置関係が対称となり、発光可能であるという技術事項が記載されているといえる。
　そして、引用発明と刊行物２とは、共に、遊技機において、演出用の可動部の動作を改良するという共通の課題を有するものであるから、引用発明の「可動部が第２の位置にある時に、所定の基準に関して位置関係が対称となる少なくとも一部の領域」に、上記刊行物２に記載の技術事項を適用し、当該少なくとも一部の領域を発光可能なものとして、上記相違点２に係る本願発明の構成とすることは、当業者であれば容易に想到し得たことである。
　また、本願発明の作用効果は、引用発明、及び、刊行物２に記載の技術事項から予測される範囲のものにすぎず、格別なものではない。
５　請求人の主張
　審判請求人は、平成２８年１２月２０日付け意見書において、「刊行物１、２のいずれにも、複数の可動部の発光する領域が、対称形を形成することについては開示も示唆もされていません。刊行物２には移動する役物に発光部が備えられている点が開示されていますが、仮に、発光部を有していない刊行物１の発明に刊行物２の構成を適用したとしても、それにより得られる構成は、複数の可動部のいずれかの部分において発光部を有する構成となるに過ぎず、可動部それぞれにおける発光する領域が対称となる構成に想到することが容易であるとは言えません。」と主張している。
　しかしながら、上記（４）の相違点２の検討において示したとおり、刊行物２には、「可動部の少なくとも一部の領域（他端部７３）が液晶表示器５の縦方向の中心線に関して位置関係が対称であり、発光可能である」ことが記載されているといえる。
　加えて、引用発明の１対の可動部（分岐回動レバー５６Ｂ、５６Ｂ）は、基部（装飾レバー５６Ａ）の中心線に対して、形状及び位置が対称に配置されているのであるから、これらに発光部を設ける場合、発光部を備えた領域も基部の中心線に対して対称とすることは、一般的に、装飾物等を配置する際に、これらを何かの基準に対して対称に配置することは、ごく普通に行われているのであるから、当業者であれば適宜なし得た単なる設計的事項にすぎない。
６　小括
　したがって、本願発明は、当業者が引用発明、及び、刊行物２に記載の技術事項に基づいて容易に発明をすることができたものである。
第５　むすび 
　以上のとおり、本願発明は、引用発明、及び、刊行物２に記載の技術事項に基づいて、当業者が容易に発明をすることができたものであるから、特許法２９条第２項の規定により特許を受けることができない。
　よって、結論のとおり審決する。